(57)【特許請求の範囲】
【請求項１】
ケーブル類のケーブル長手方向に沿って延在する帯状内周壁部と該帯状内周壁部の左右両側縁に一体に形成されてケーブル類をケーブル長手方向に沿って左右両側から順次抱持する多数のアーム状抱持部とで囲繞された矩形チューブ状のケーブル収容空間内にケーブル類を前記アーム状抱持部の対向間隙から収容するとともに、前記帯状内周壁部の一端と該一端を連結した機械側固定フレームに対して相対移動する機械側可動フレームに連結した帯状内周壁部の他端との間でケーブル類をＵ字状に屈曲させながら保護案内する合成樹脂製のケーブル保護案内部材であって、
前記アーム状抱持部が、前記帯状内周壁部の左右両側縁からそれぞれ起立した左右一対の側壁基端部分と該側壁基端部分からそれぞれ延出した左右一対の側壁形成部分と該側壁形成部分から相互に対向するようにそれぞれ折曲した左右一対の外周壁形成部分と前記側壁形成部分と外周壁形成部分とにそれぞれ連続して介在した左右一対の折曲内股部分とで構成され、
前記帯状内周壁部の左右両側縁からそれぞれ起立した左右一対の側壁基端部分が、前記帯状内周壁部および前記側壁形成部分と外周壁形成部分のいずれよりも柔軟な合成樹脂を用いて二色成形加工により左右両外側へそれぞれ開脚して傾斜するように一体成形され、前記ケーブル収容空間内に収容したケーブル類を屈曲移動させる際に前記帯状内周壁部の屈曲変形に伴って側壁形成部分と外周壁形成部分のいずれよりも優先して弾性変形するとともに左右両外側へ傾斜している分だけ左右一対の側壁形成部分の重心をアーム状抱持部の対向間隙に向かって相互に倒し込んで対向間隙を塞ぎ込むことを特徴とするケーブル類保護案内部材。
【請求項２】
前記アーム状抱持部の一部分を構成する左右一対の折曲内股部分が、前記帯状内周壁部および前記アーム状抱持部の一部分を構成する側壁形成部分と外周壁形成部分のいずれよりも柔軟な合成樹脂を用いて二色成形加工により一体成形されていることを特徴とする請求項１記載のケーブル類保護案内部材。
【請求項３】
前記アーム状抱持部の一部分を構成する側壁形成部分が、前記ケーブル収容空間内に向けて湾曲してケーブル類とケーブル長手方向に沿って当接する内側面を備えていることを特徴とする請求項１または請求項２記載のケーブル類保護案内部材。
【請求項４】
前記帯状内周壁部が、前記ケーブル収容空間内に向けて膨出してケーブル類のケーブル長手方向に沿って当接する内周面部分と該内周面部分の左右両側縁に沿って内周面部分よりも屈曲内周側に延在して前記側壁基端部分に連なる左右一対の側縁部分とで構成されていることを特徴とする請求項１乃至請求項３のいずれか１つに記載のケーブル類保護案内部材。
【請求項５】
前記アーム状抱持部の対向間隙が、前記ケーブル類の直線姿勢を保持した状態で前記ケーブル類のケーブル径より狭小になっていることを特徴とする請求項１乃至請求項４のいずれか１つに記載のケーブル類保護案内部材。
【請求項６】
前記アーム状抱持部が、前記帯状内周壁部の左右両側縁に沿って同形状かつ等間隔で配置されていることを特徴とする請求項１乃至請求項５のいずれか１つに記載のケーブル類保護案内部材。
【請求項７】
前記帯状内周壁部とアーム状抱持部とが、押し出し成形加工で成形されていることを特徴とする請求項１乃至請求項６のいずれか１つに記載のケーブル類保護案内部材。
【発明の詳細な説明】
【技術分野】
【０００１】
本発明は、固定エネルギー源を備えた機械側固定フレームに連結した一端から機械側可動フレームに連結した他端に向けてエネルギを供給するのに用いられるケーブル、ホースなどのケーブル類をＵ字状に屈曲させながら保護案内するケーブル保護案内部材に関するものである。
【背景技術】
【０００２】
従来のケーブル類保護案内部材として、離間配置された左右一対のリンクプレートの上縁部間および下縁部間をフラップおよび底板によりそれぞれ連結してケーブル収容空間を構成したリンク体をケーブル長手方向に多数連結してなるケーブル・ホースの保護案内チェーンが知られている（例えば、特許文献１参照）。
【０００３】
また、合成樹脂製の扁平な構造の一片として射出成形するとともに曲げ可能なブリッジにより相互に結合されるセグメントから構成された折り畳み可能なケーブル保護要素部材が知られている(例えば、特許文献２参照)。
【先行技術文献】
【特許文献】
【０００４】
【特許文献１】特開平１０−４７４４１号公報（特許請求の範囲、図９）
【特許文献２】特表２００１−５１４７２５号公報（特許請求の範囲、図１−図３）
【発明の概要】
【発明が解決しようとする課題】
【０００５】
しかしながら、前者のようなケーブル・ホースの保護案内チェーンは、リンクプレート、フラップおよび底板などの組み立て作業に多大な負担を必要とし、リンクプレート相互間の摩耗損傷による発塵やリンクプレート相互間の屈曲騒音やリンクプレート相互間の多角形運動に伴う振動もあり、しかも、ケーブル装着時にケーブル長手方向に沿ってケーブル類をケーブル収容空間内に収容するためにフラップなどを着脱しなければならないという取り扱い上の厄介な問題があった。
【０００６】
そして、後者のようなケーブル保護要素部材は、合成樹脂製の扁平な構造の一片として射出成形されているため、長尺状のものを製造しようとすると、金型サイズの物理的な制限や金型コストの制限があり、しかも、連結するセグメントを1個ずつ折り畳んで組み付けなければならないという組み立て製造上の厄介な問題があった。
【０００７】
そこで、本発明は、従来のような問題を解決するものであって、すなわち、本発明の目的は、組み立て作業を不要としてケーブル類を簡便に収容装着して確実に保護するとともに摩耗損傷による発塵、屈曲騒音、屈曲振動を抑制し、しかも、ケーブル類の直線姿勢を確実に保持してケーブル類の屈曲移動をより小さな屈曲半径で円滑に達成するとともに屈曲移動時におけるケーブル類の飛び出しを阻止するケーブル類保護案内部材を提供することである。
【課題を解決するための手段】
【０００８】
まず、請求項１に係る本発明は、ケーブル類のケーブル長手方向に沿って延在する帯状内周壁部と該帯状内周壁部の左右両側縁に一体に形成されてケーブル類をケーブル長手方向に沿って左右両側から順次抱持する多数のアーム状抱持部とで囲繞された矩形チューブ状のケーブル収容空間内にケーブル類を前記アーム状抱持部の対向間隙から収容するとともに、前記帯状内周壁部の一端と該一端を連結した機械側固定フレームに対して相対移動する機械側可動フレームに連結した帯状内周壁部の他端との間でケーブル類をＵ字状に屈曲させながら保護案内する合成樹脂製のケーブル保護案内部材であって、前記アーム状抱持部が、前記帯状内周壁部の左右両側縁からそれぞれ起立した左右一対の側壁基端部分と該側壁基端部分からそれぞれ延出した左右一対の側壁形成部分と該側壁形成部分から相互に対向するようにそれぞれ折曲した左右一対の外周壁形成部分と前記側壁形成部分と外周壁形成部分とにそれぞれ連続して介在した左右一対の折曲内股部分とで構成され、前記帯状内周壁部の左右両側縁からそれぞれ起立した左右一対の側壁基端部分が、前記帯状内周壁部および前記側壁形成部分と外周壁形成部分のいずれよりも柔軟な合成樹脂を用いて二色成形加工により左右両外側へそれぞれ開脚して傾斜するように一体成形され、前記ケーブル収容空間内に収容したケーブル類を屈曲移動させる際に前記帯状内周壁部の屈曲変形に伴って側壁形成部分と外周壁形成部分のいずれよりも優先して弾性変形するとともに左右両外側へ傾斜している分だけ左右一対の側壁形成部分の重心をアーム状抱持部の対向間隙に向かって相互に倒し込んで対向間隙を塞ぎ込むことにより、前述した課題を解決したものである。
【０００９】
また、請求項２に係る発明のケーブル類保護案内部材は、請求項１記載の構成に加えて、前記アーム状抱持部の一部分を構成する左右一対の折曲内股部分が、前記帯状内周壁部および前記アーム状抱持部の一部分を構成する側壁形成部分と外周壁形成部分のいずれよりも柔軟な合成樹脂を用いて二色成形加工により一体成形されていることにより、前述した課題をさらに解決したものである。
【００１１】
また、請求項３に係る発明のケーブル類保護案内部材は、請求項１または請求項２記載の構成に加えて、前記アーム状抱持部の一部分を構成する側壁形成部分が、前記ケーブル収容空間内に向けて湾曲してケーブル類とケーブル長手方向に沿って当接する内側面を備えていることにより、前述した課題をさらに解決したものである。
【００１２】
また、請求項４に係る発明のケーブル類保護案内部材は、請求項１乃至請求項３のいずれか１つに記載の構成に加えて、前記帯状内周壁部が、前記ケーブル収容空間内に向けて膨出してケーブル類のケーブル長手方向に沿って当接する内周面部分と該内周面部分の左右両側縁に沿って内周面部分よりも屈曲内周側に延在して前記側壁基端部分に連なる左右一対の側縁部分とで構成されていることにより、前述した課題をさらに解決したものである。
【００１３】
また、請求項５に係る発明のケーブル類保護案内部材は、請求項１乃至請求項４のいずれか１つに記載の構成に加えて、前記アーム状抱持部の対向間隙が、前記ケーブル類の直線姿勢を保持した状態で前記ケーブル類のケーブル径より狭小になっていることにより、前述した課題をさらに解決したものである。
【００１４】
また、請求項６に係る発明のケーブル類保護案内部材は、請求項１乃至請求項５のいずれか１つに記載の構成に加えて、前記アーム状抱持部が、前記帯状内周壁部の左右両側縁に沿って同形状かつ等間隔で配置されていることにより、前述した課題をさらに解決したものである。
【００１５】
また、請求項７に係る発明のケーブル類保護案内部材は、請求項１乃至請求項６のいずれか１つに記載の構成に加えて、前記帯状内周壁部とアーム状抱持部とが、押し出し成形加工で成形されていることにより、前述した課題をさらに解決したものである。
【発明の効果】
【００１６】
まず、請求項１に係る合成樹脂製のケーブル類保護案内部材によれば、ケーブル類のケーブル長手方向に沿って延在する帯状内周壁部とこの帯状内周壁部の左右両側縁に一体に形成されてケーブル類をケーブル長手方向に沿って左右両側から順次抱持する多数のアーム状抱持部とで囲繞された矩形チューブ状のケーブル収容空間内にケーブル類をアーム状抱持部の対向間隙から収容するとともに、帯状内周壁部の一端とこの一端を連結した機械側固定フレームに対して相対移動する機械側可動フレームに連結した帯状内周壁部の他端との間でケーブル類をＵ字状に屈曲させながら保護案内することにより、従来のようなリンクプレートなどを多数連結してケーブル収容空間を構成したケーブル・ホースの保護案内チェーンに比較すると、ケーブル類を保護案内するケーブル収容空間が合成樹脂からなる単一の成形品で構成されるため、従来のようなリンクプレートなどの組み立て作業が不要であってリンクプレート相互間の摩耗損傷による発塵、リンクプレート相互間の屈曲騒音、リンクプレート相互間の多角形運動に伴う間歇的な屈曲振動も抑制することができ、しかも、ケーブル装着時にケーブル類をアーム状抱持部の対向間隙からケーブル長手方向に沿って矩形チューブ状のケーブル収容空間内に押し込むだけでケーブル類を簡便に収容装着することができる。
また、従来のような合成樹脂製の扁平な構造の一片として射出成形するとともに曲げ可能なブリッジにより相互に結合されるセグメントから構成された折り畳み可能なケーブル保護要素部材と比較しても、いかなる長尺なケーブル収容空間であってもケーブル類を保護案内するケーブル収容空間が合成樹脂からなる単一の成形品で構成されるため、セグメントなどの組み付け作業が不要であり、ケーブル装着時にケーブル類をアーム状抱持部の対向間隙からケーブル長手方向に沿って矩形チューブ状のケーブル収容空間内に押し込むだけでケーブル類を簡便に収容装着することができる。
【００１７】
そして、アーム状抱持部が、帯状内周壁部の左右両側縁からそれぞれ起立した左右一対の側壁基端部分とこの側壁基端部分からそれぞれ延出した左右一対の側壁形成部分とこの側壁形成部分から相互に対向するようにそれぞれ折曲した左右一対の外周壁形成部分と前記側壁形成部分と外周壁形成部分とにそれぞれ連続して介在した左右一対の折曲内股部分とで構成されていることにより、ケーブル装着時にアーム状抱持部の対向間隙を柔軟に変形させることが可能になるため、ケーブル類をより簡便に収容装着することができるばかりでなく、ケーブル収容空間の横断面がほぼ矩形状に保形されるため、ケーブル収容空間内に収容したケーブル類を周辺部材から確実に保護することができる。
【００１８】
さらに、帯状内周壁部の左右両側縁からそれぞれ起立した左右一対の側壁基端部分が、帯状内周壁部およびアーム状抱持部の一部分を構成する側壁形成部分と外周壁形成部分のいずれよりも柔軟な合成樹脂を用いて二色成形加工により一体成形されていることにより、左右一対の側壁基端部分が、二色成形加工により一体成形された帯状内周壁部の屈曲変形に伴ってアーム状抱持部の一部分を構成する側壁形成部分と外周壁形成部分のいずれよりも優先して柔軟に弾性変形するため、ケーブル収容空間内に収容したケーブル類を屈曲移動させる際に左右のアーム状抱持部が対向間隙に向かって相互に倒れ込んで対向間隙を塞ぎ込み、ケーブル類の屈曲移動により惹起しがちなケーブル収容空間内からの飛び出しを阻止することができるばかりでなく、ケーブル収容空間内に収容したケーブル類を屈曲移動させる際にケーブル類をケーブル長手方向に沿って順次抱持するアーム状抱持部同士の側壁基端部分を中心とした屈曲外周側の開拡に伴って屈曲内周側となるアーム状抱持部同士の側壁基端部分に発生する内部応力が弾力的に吸収されるため、アーム状抱持部同士の側壁基端部分が柔軟性を優先的に発揮して亀裂を生じること無くケーブル類の屈曲移動をより小さな屈曲半径で円滑に達成することができる。
そして、帯状内周壁部の左右両側縁からそれぞれ起立した左右一対の側壁基端部分が、左右両外側へそれぞれ開脚して傾斜するように形成されていることにより、左右一対の側壁基端部分が左右両外側へそれぞれ開脚して傾斜している分だけ左右一対の側壁形成部分の重心を対向間隙に向かって相互に倒し込むため、ケーブル収容空間内に収容したケーブル類を屈曲移動させる際に、左右一対の側壁基端部分を基点にアーム状抱持部の一部分を構成する側壁形成部分と外周壁形成部分とが対向間隙に向かって左右から相互に傾倒してケーブル類をケーブル収容空間内に確実に保持することができる。
【００１９】
また、請求項２に係るケーブル類保護案内部材によれば、請求項１に記載のケーブル類保護案内部材が奏する効果に加えて、アーム状抱持部の一部分を構成する左右一対の折曲内股部分が、帯状内周壁部およびアーム状抱持部の一部分を構成する側壁形成部分と外周壁形成部分のいずれよりも柔軟な合成樹脂を用いて二色成形加工により一体成形されていることにより、ケーブル類をアーム状抱持部の対向間隙からケーブル長手方向に沿ってケーブル収容空間内に押し込んで装着する際に、左右一対の折曲内股部分が、帯状内周壁部およびアーム状抱持部の一部分を構成する側壁形成部分と外周壁形成部分のいずれよりも優先して柔軟に弾性変形するため、アーム状抱持部の対向間隙を弾力的に押し広げてケーブル類をケーブル収容空間内に簡便に押し込むことができるばかりでなく、アーム状抱持部の一部分を構成する左右一対の側壁基端部分と折曲内股部分とが、屈曲移動状態から直線移動状態へ移行しながらケーブル類を移動させる際の敷設床面との接触による衝撃を協働して弾力的に吸収緩和するため、敷設床面との間で発生しがちな接触騒音を大幅に抑制することができる。
【００２１】
そして、請求項３に係る発明のケーブル類保護案内部材は、請求項１または請求項２に記載のケーブル類保護案内部材が奏する効果に加えて、アーム状抱持部の一部分を構成する側壁形成部分が、ケーブル収容空間内に向けて湾曲してケーブル類とケーブル長手方向に沿って当接する内側面を備えていることにより、アーム状抱持部の側壁形成部分の剛性が増大するため、ケーブル長手方向に亘ってケーブル収容空間を矩形チューブ状に確実に保形することができ、また、側壁形成部分がケーブル収容空間内に向けて湾曲しているため、ケーブル収容空間内に収容したケーブル類と側壁形成部分との面接触を回避してケーブル類との過度の摩耗損傷を抑制することができる。
【００２２】
また、請求項４に係る発明のケーブル類保護案内部材は、請求項１乃至請求項３のいずれか１つに記載のケーブル類保護案内部材が奏する効果に加えて、帯状内周壁部が、ケーブル収容空間内に向けて膨出してケーブル類のケーブル長手方向に沿って当接する内周面部分とこの内周面部分の左右両側縁に沿って内周面部分よりも屈曲内周側に延在して側壁基端部分に連なる左右一対の側縁部分とで構成されていることにより、ケーブル類を直線移動させる際に左右一対の側縁部分がそれぞれ左右一対の側壁基端部分と協働して屈曲外周側への屈曲に対する剛性を帯状内周壁部の両側縁でそれぞれ左右対称に発揮するため、ケーブル類を直線移動させる際に帯状内周壁部の屈曲外周側へのバックベンドを阻止してケーブル類の直線姿勢を確実かつ安定して保持することができる。
【００２３】
また、請求項５に係る発明のケーブル類保護案内部材は、請求項１乃至請求項４のいずれか１つに記載のケーブル類保護案内部材が奏する効果に加えて、アーム状抱持部の対向間隙が、ケーブル類の直線姿勢を保持した状態でケーブル類のケーブル径より狭小になっていることにより、対向する左右一対のアーム状抱持部がケーブル類をケーブル収容空間内に閉じ込めた状態に位置づけられるため、ケーブル収容空間にケーブル長手方向に沿って一旦収容されたケーブル類の不用意な飛び出しを抑止することができる。
【００２４】
また、請求項６に係る発明のケーブル類保護案内部材は、請求項１乃至請求項５のいずれか１つに記載のケーブル類保護案内部材が奏する効果に加えて、アーム状抱持部が、帯状内周壁部の左右両側縁に沿って同形状かつ等間隔で配置されていることにより、ケーブル収容空間が単一の曲率半径を確保しながら順次屈曲して移動していくため、ケーブル類をＵ字状に屈曲させながら安定して保護案内することができる。
【００２５】
加えて、請求項７に係る発明のケーブル類保護案内部材は、請求項１乃至請求項６のいずれか１つに記載のケーブル類保護案内部材が奏する効果に加えて、帯状内周壁部とアーム状抱持部とが押し出し成形加工で成形されていることにより、帯状内周壁部とアーム状抱持部とを組み付ける作業負担が解消されるため、いかなる長尺なケーブル収容空間を要する現場施工であってもケーブル類のケーブル長さに応じた裁断のみで最適な長尺体を簡便に構成することができるとともに、押し出し成形加工によって帯状内周壁部におけるケーブル長手方向の分子配向度が高くなるため、ケーブル長手方向の疲労強度が大幅に向上して優れた耐久性を発揮することができる。
また、押し出し成形加工時に帯状内周壁部およびアーム状抱持部の厚みや合成樹脂の材質が変更可能になるため、収容するケーブル類に応じてケーブル収容空間を造作する矩形チューブ状の収容形態やケーブル類を保護案内する軌道形態を簡便に変更することができる。
【図面の簡単な説明】
【００２６】
【図１】本発明の実施例であるケーブル類保護案内部材の使用態様図。
【図２】本発明の実施例であるケーブル類保護案内部材の直線姿勢領域の拡大斜視図。
【図３】本発明の実施例であるケーブル類保護案内部材の屈曲姿勢領域の拡大斜視図。
【図４】本発明の実施例であるケーブル類保護案内部材の側面図。
【図５】図４のＤで囲まれた部分とその一部を切り欠いた側断面を示す拡大図。
【図６】図４のＡ―Ａ断面におけるケーブル類保護案内部材の断面図。
【図７】図４のＢ―Ｂ断面におけるケーブル類保護案内部材の断面図。
【図８】図４のＣ―Ｃ断面におけるケーブル類保護案内部材の断面図。
【発明を実施するための形態】
【００２７】
本発明は、ケーブル類のケーブル長手方向に沿って延在する帯状内周壁部とこの帯状内周壁部の左右両側縁に一体に形成されてケーブル類をケーブル長手方向に沿って左右両側から順次抱持する多数のアーム状抱持部とで囲繞された矩形チューブ状のケーブル収容空間内にケーブル類をアーム状抱持部の対向間隙から収容するとともに、帯状内周壁部の一端と該一端を連結した機械側固定フレームに対して相対移動する機械側可動フレームに連結した帯状内周壁部の他端との間でケーブル類をＵ字状に屈曲させながら保護案内する合成樹脂製のケーブル保護案内部材であって、アーム状抱持部が、帯状内周壁部の左右両側縁からそれぞれ起立した左右一対の側壁基端部分と該側壁基端部分からそれぞれ延出した左右一対の側壁形成部分とこの側壁形成部分から相互に対向するようにそれぞれ折曲した左右一対の外周壁形成部分と前記側壁形成部分と外周壁形成部分とにそれぞれ連続して介在した左右一対の折曲内股部分とで構成され、帯状内周壁部の左右両側縁からそれぞれ起立した左右一対の側壁基端部分が、帯状内周壁部および前記側壁形成部分と外周壁形成部分のいずれよりも柔軟な合成樹脂を用いて二色成形加工により左右両外側へそれぞれ開脚して傾斜するように一体成形され、ケーブル収容空間内に収容したケーブル類を屈曲移動させる際に前記帯状内周壁部の屈曲変形に伴って側壁形成部分と外周壁形成部分のいずれよりも優先して弾性変形するとともに左右両外側へ傾斜している分だけ左右一対の側壁形成部分の重心をアーム状抱持部の対向間隙に向かって相互に倒し込んで対向間隙を塞ぎ込み、組み立て作業を不要としてケーブル類を簡便に収容装着して確実に保護するとともに摩耗損傷による発塵、屈曲騒音、屈曲振動を抑制し、ケーブル類の直線姿勢を確実に保持してケーブル類の屈曲移動をより小さな屈曲半径で円滑に達成するとともに屈曲移動時におけるケーブル類の飛び出しを阻止するものであれば、その具体的な実施の形態は、如何なるものであっても何ら構わない。
【００２８】
まず、本発明のケーブル類保護案内部材の具体的な使用態様については、固定エネルギー源を備えた機械側固定フレームに連結した一端からこの機械側固定フレームに沿って平行移動する機械側可動フレームに連結した他端に向けてケーブル、ホースなどのケーブル類をＵ字状に屈曲させながら保護案内する使用状況下であれば、工作機械、生産機械、動力伝達機械、測定機械、物流機械、ロボットと称する各種機械などの如何なる使用態様であっても、何ら差し支えない。
【００２９】
本発明のケーブル類保護案内部材に用いるケーブル保護案内部材の具体的なＵ字状に屈曲形態については、機械側固定フレームに連結した一端からこの機械側固定フレームに沿って平行移動する機械側可動フレームに連結した他端に向けて配置された垂直面内や水平面内で屈曲させて良く、あるいは、３次元的空間で屈曲させるものであっても良い。
【００３０】
そして、上述したケーブル保護案内部材に用いる具体的な材質については、アーム状抱持部の一部分を構成する左右一対の側壁基端部分が帯状内周壁部およびアーム状抱持部の一部分を構成する側壁形成部分と外周壁形成部分のいずれよりも柔軟な合成樹脂を用いて二色成形加工により一体成形され、左右一対の側壁基端部分が帯状内周壁部の屈曲変形に伴ってアーム状抱持部の側壁形成部分と外周壁形成部分のいずれよりも優先して柔軟に弾性変形する合成樹脂の材質であれば、成形精度に優れたポリエチレンやポリプロピレンなどのオレフィン系樹脂、ポリエステル系樹脂、ポリアクリル系樹脂、ポリ塩化ビニル系樹脂、ポリスチレン系樹脂、オレフィン系エラストマーなどの如何なる組み合わせであっても良く、特に、帯状内周壁部およびアーム状抱持部を構成する側壁形成部分と外周壁形成部分がポリプロピレン樹脂で成形されているとともに、アーム状抱持部を構成する左右一対の側壁基端部分と左右一対の折曲内股部分とがオレフィン系エラストマーで成形されている場合には、押し出し成形加工が施しやすく、ケーブル収容空間の形態安定性を充分に発揮するのでより好ましい。
【実施例】
【００３１】
本発明の実施例であるケーブル類保護案内部材について、図面に基づいて説明する。
ここで、図１は、本発明の実施例であるケーブル類保護案内部材の使用態様図であり、図２は、本発明の実施例であるケーブル類保護案内部材の直線姿勢領域の拡大斜視図であり、図３は、本発明の実施例であるケーブル類保護案内部材の屈曲姿勢領域の拡大斜視図であり、図４は、本発明の実施例であるケーブル類保護案内部材の側面図であり、図５は、図４のＤで囲まれた部分とその一部を切り欠いた側断面を示す拡大図であり、図６は、図４のＡ―Ａ断面におけるケーブル類保護案内部材の断面図であり、図７は、図４のＢ―Ｂ断面におけるケーブル類保護案内部材の断面図であり、図８は、図４のＣ―Ｃ断面におけるケーブル類保護案内部材の断面図である。
【００３２】
まず、本発明の実施例であるケーブル類保護案内部材１００は、図１に示すように、工作機械などの機械側固定フレームＭ１側から機械側可動フレームＭ２側へ電力供給および信号送信を行うケーブル類Ｃを保護案内するために使用されるものである。
すなわち、図１に示すように、機械側固定フレームＭ１に連結した一端１００ａからこの機械側固定フレームＭ１に沿って平行移動する機械側可動フレームＭ２に連結した他端１００ｂに向けてケーブル類Ｃを垂直面内でＵ字状に屈曲させながら保護案内するものである。
【００３３】
そこで、前述したケーブル保護案内部材１００について、その具体的な保護案内構造を図１乃至図８に基づいて詳しく説明する。
【００３４】
本実施例のケーブル保護案内部材１００は、合成樹脂からなり、図１に示すように、ケーブル類Ｃのケーブル長手方向に沿って延在する帯状内周壁部１１０とこの帯状内周壁部１１０の左右両側縁に一体に形成されてケーブル類Ｃをケーブル長手方向に沿って左右両側から順次抱持する多数のアーム状抱持部１２０とで囲繞された矩形チューブ状のケーブル収容空間Ｒ内にケーブル類Ｃをアーム状抱持部１２０の対向間隙Ｓから収容するものであって、ケーブル類Ｃを保護案内するケーブル収容空間Ｒが、いかなる長尺なケーブル収容空間Ｒであっても合成樹脂からなる単一の成形品で構成される。
【００３５】
さらに、前述した帯状内周壁部１１０とアーム状抱持部１２０とは、押し出し成形加工で成形されている。
これにより、帯状内周壁部１１０とアーム状抱持部１２０とを組み付ける作業負担が解消され、押し出し成形加工によって帯状内周壁部１１０におけるケーブル長手方向の分子配向度が高くなってケーブル長手方向の疲労強度が大幅に向上して優れた耐久性を発揮し、また、押し出し成形加工時に、帯状内周壁部１１０およびアーム状抱持部１２０の厚みや合成樹脂の材質が変更可能になっている。
【００３６】
そして、前述した帯状内周壁部１１０とアーム状抱持部１２０とは、前述した押し出し成形加工により矩形チューブ状のケーブル収容空間Ｒを構成するように形成された後に、図２乃至図５に示すように、この矩形チューブ状のケーブル収容空間Ｒをケーブル長手方向と直交する方向に切断するように所定の間隔で切り込むことで成形されている。
これにより、帯状内周壁部１１０とアーム状抱持部１２０とを組み付ける作業負担が解消され、いかなる長尺なケーブル収容空間Ｒを要する現場施工であってもケーブル類Ｃのケーブル長さに応じた裁断のみで最適な長尺体を簡便に構成し、押し出し成形加工によって帯状内周壁部１１０におけるケーブル長手方向の分子配向度が高くなり、ケーブル長手方向の疲労強度が大幅に向上して優れた耐久性を発揮している。
【００３７】
また、上述した多数のアーム状抱持部１２０は、ケーブル長手方向に沿って左右に対向して配置され、その左右の対向間隙Ｓは、ケーブル類Ｃの直線姿勢を保持した状態でケーブル類Ｃのケーブル径より狭小になっている。
これにより、対向する左右一対のアーム状抱持部１２０、１２０は、ケーブル類Ｃをケーブル収容空間Ｒ内に閉じ込めた状態に保持している。
【００３８】
また、図４などに示すように、前述したアーム状抱持部１２０は、帯状内周壁部１１０の左右両側縁に沿って同形状かつ等間隔で配置され、ケーブル収容空間Ｒが単一の曲率半径を確保しながら順次屈曲して移動し、ケーブル類ＣをＵ字状に屈曲させながら安定して保護案内する。
【００３９】
つぎに、本実施例のケーブル保護案内部材１００が最も特徴とするアーム状抱持部120および帯状内周壁部１１０の具体的形態について、以下に詳しく説明する。
まず、アーム状抱持部１２０は、図６乃至図８に示すように、帯状内周壁部１１０の左右両側縁からそれぞれ起立した左右一対の側壁基端部分１２１、１２１と、これら側壁基端部分１２１、１２１からそれぞれ延出した左右一対の側壁形成部分１２２、１２２と、これらの側壁形成部分１２２、１２２から相互に対向するようにそれぞれ折曲した左右一対の外周壁形成部分１２３、１２３と、前記側壁形成部分１２２、１２２と外周壁形成部分１２３、１２３とにそれぞれ連続して介在した左右一対の折曲内股部分１２４、１２４とで構成されている。
これにより、ケーブル装着時にアーム状抱持部１２０の対向間隙Ｓを柔軟に変形させることが可能になり、ケーブル収容空間Ｒの横断面がほぼ矩形状に保形されている。
【００４０】
さらに、図６などに示すように、アーム状抱持部１２０の一部分を構成する側壁基端部分１２１は、帯状内周壁部１１０およびアーム状抱持部１２０の一部分を構成する側壁形成部分１２２と外周壁形成部分１２３のいずれよりも柔軟な合成樹脂を用いて二色成形加工により一体成形されている。
これにより、側壁基端部分１２１が、帯状内周壁部１１０の屈曲変形に伴ってアーム状抱持部１２０の一部分を構成する側壁形成部分１２２と外周壁形成部分１２３のいずれよりも優先して柔軟に弾性変形し、ケーブル収容空間Ｒ内に収容したケーブル類Ｃを屈曲移動させる際に、図７に示すように、左右のアーム状抱持部１２０、１２０が対向間隙Ｓに向かって相互に倒れ込んで対向間隙Ｓを塞ぎ込み、ケーブル収容空間Ｒ内に収容したケーブル類Ｃを屈曲移動させる際に、このケーブル類Ｃをケーブル長手方向に沿って順次抱持するアーム状抱持部１２０、１２０同士の側壁基端部分１２１、１２１を中心とした屈曲外周側の開拡に伴って屈曲内周側となるアーム状抱持部１２０、１２０同士の側壁基端部分１２１、１２１に発生する内部応力が弾力的に吸収されるようになっている。
【００４１】
また、アーム状抱持部１１０の折曲内股部分１２４は、帯状内周壁部１１０およびアーム状抱持部１１０の側壁形成部分１２２と外周壁形成部分１２３のいずれよりも柔軟な合成樹脂を用いて二色成形加工により一体成形されている。
これにより、ケーブル類Ｃをアーム状抱持部１１０の対向間隙Ｓからケーブル長手方向に沿ってケーブル収容空間Ｒ内に押し込んで装着する際に、折曲内股部分１２４が、帯状内周壁部１１０および側壁形成部分１２２と外周壁形成部分１２３のいずれよりも優先して柔軟に弾性変形し、また、図８に示すように、アーム状抱持部１１０の一部分を構成する側壁基端部分１２１と折曲内股部分１２４とが、屈曲移動状態から直線移動状態へ移行しながらケーブル類Ｃを移動させる際の敷設床面との接触による衝撃を協働して弾力的に吸収緩和するようになっている。
【００４２】
また、アーム状抱持部１２０の側壁基端部分１２１は、図６に示すように、左右両外側へそれぞれ開脚して傾斜するように形成されている。
これにより、ケーブル収容空間Ｒ内に収容したケーブル類Ｃを屈曲移動させる際に、図７に示すように、左右一対の側壁基端部分１２１、１２１が左右両外側へそれぞれ開脚して傾斜している分だけ左右一対の側壁形成部分１２２、１２２の重心を対向間隙Ｓに向かって相互に倒し込み、左右一対の側壁基端部分１２１、１２１を基点に、側壁形成部分１２２と外周壁形成部分１２３とが対向間隙Ｓに向かって左右から相互に傾倒するようになっている。
【００４３】
そして、アーム状抱持部１２０の側壁形成部分１２２は、ケーブル収容空間Ｒ内に向けて湾曲してケーブル類Ｃとケーブル長手方向に沿って当接する内側面を備えている。
これにより、アーム状抱持部１２０の一部分を構成する側壁形成部分１２２の剛性が増大するため、ケーブル長手方向に亘ってケーブル収容空間Ｒを矩形チューブ状に保形し、図６乃至図８に示すように、ケーブル収容空間Ｒ内に収容したケーブル類Ｃと側壁形成部分１２２との面接触を回避してケーブル類Ｃとの過度の摩耗損傷を抑制している。
【００４４】
他方、帯状内周壁部１１０は、図６などに示すように、ケーブル収容空間Ｒ内に向けて膨出してケーブル類Ｃのケーブル長手方向に沿って当接する内周面部分１１１とこの内周面部分１１１の左右両側縁に沿って内周面部分１１１よりも屈曲内周側に延在して側壁基端部分１２１に連なる左右一対の側縁部分１１２、１１２とで構成されている。  
これにより、ケーブル類Ｃを直線移動させる際に、左右一対の側縁部分１１２、１１２が、それぞれ左右一対の側壁基端部分１２１と協働して屈曲外周側への屈曲に対する剛性を帯状内周壁部１１０の両側縁でそれぞれ左右対称に発揮するため、ケーブル類Ｃを直線移動させる際に、図８に示すように、帯状内周壁部１１０の屈曲外周側へのバックベンドを阻止してケーブル類Ｃの直線姿勢を確実かつ安定して保持することができる。
【００４５】
このようにして得られた本実施例のケーブル類保護案内部材１００は、アーム状抱持部１２０が、帯状内周壁部１１０の左右両側縁からそれぞれ起立した左右一対の側壁基端部分１２１、１２１と、これらの側壁基端部分１２１、１２１からそれぞれ延出した左右一対の側壁形成部分１２２、１２２と、これらの側壁形成部分１２２、１２２から相互に対向するようにそれぞれ折曲した左右一対の外周壁形成部分１２３、１２３と、前記側壁形成部分１２２と外周壁形成部分１２３とにそれぞれ連続して介在した左右一対の折曲内股部分１２４、１２４とで構成されていることにより、ケーブル類Ｃをより簡便に収容装着して、ケーブル収容空間Ｒ内に収容したケーブル類Ｃを周辺部材から確実に保護することができる。
【００４６】
そして、アーム状抱持部１２０の側壁基端部分１２１および折曲内股部分１２４が、帯状内周壁部１１０および側壁形成部分１２２と外周壁形成部分１２３のいずれよりも柔軟な合成樹脂を用いて二色成形加工により一体成形されていることにより、ケーブル収容空間Ｒ内に収容したケーブル類Ｃを屈曲移動させる際に左右のアーム状抱持部１２０、１２０が対向間隙Ｓに向かって相互に倒れ込んでこの対向間隙Ｓを塞ぎ込み、ケーブル類Ｃの屈曲移動により惹起しがちなケーブル収容空間Ｒ内からの飛び出しを阻止し、アーム状抱持部１２０、１２０同士の側壁基端部分１２１、１２１が柔軟性を優先的に発揮して亀裂を生じること無くケーブル類Ｃの屈曲移動をより小さな屈曲半径で円滑に達成することができるばかりでなく、アーム状抱持部１２０、１２０の対向間隙Ｓを弾力的に押し広げてケーブル類Ｃをケーブル収容空間Ｒ内へ簡便に押し込んだり、敷設床面との間で発生しがちな接触騒音を大幅に抑制することができる。
【００４７】
また、アーム状抱持部１２０の側壁基端部分１２１が、左右両外側へそれぞれ開脚して傾斜するように形成されていることにより、ケーブル収容空間Ｒ内に収容したケーブル類Ｃを屈曲移動させる際に、左右一対の側壁基端部分１２１、１２１を基点に側壁形成部分１２２と外周壁形成部分１２３とが対向間隙Ｓに向かって左右から相互に傾倒してケーブル類Ｃをケーブル収容空間Ｒ内に確実に保持することができる等、その効果は、甚大である。
【符号の説明】
【００４８】
１００  ・・・  ケーブル類保護案内部材
１００ａ・・・  ケーブル保護案内部材の一端
１００ｂ・・・  ケーブル保護案内部材の他端
１１０  ・・・  帯状内周壁部
１１１  ・・・  内周面部分
１１２  ・・・  側縁部分
１２０  ・・・  アーム状抱持部
１２１  ・・・  側壁基端部分
１２２  ・・・  側壁形成部分
１２３  ・・・  外周壁形成部分
１２４  ・・・  折曲内股部分
Ｍ１  ・・・  機械側固定フレーム
Ｍ２  ・・・  機械側可動フレーム
Ｃ    ・・・  ケーブル類
Ｒ    ・・・  ケーブル収容空間
Ｓ    ・・・  対向間隙  
【図１】
0005709799.tif 000002
【図２】
0005709799.tif 000003
【図３】
0005709799.tif 000004
【図４】
0005709799.tif 000005
【図５】
0005709799.tif 000006
【図６】
0005709799.tif 000007
【図７】
0005709799.tif 000008
【図８】
0005709799.tif 000009